(57)【要約】　　　（修正有）【課題】養殖網、篭類の付着物除去の洗浄廃水には水圧で除去された大中小の塵が混入しているので、水と塵とを分離処理して水だけを流して海水の汚染を最小限に防止するのが目的である。【解決手段】養殖用篭類洗浄機の下部に廃水処理装置を設け廃水処理装置の上部に回転するコンベヤを上段、下段と複数個を設置して、上段のコンベヤ１４では大中の塵が止まる穴の大きさで、下段コンベヤ１５では小の塵が止まる穴の大きさでコンベヤロールの回転によりコンベヤが移動してコンベヤの末端で塵受け１０に塵が落下して滑り回収容器１３に入り、更に細かい塵は下部の沈殿槽６で沈殿され、廃水は沈殿槽のオーバーフローよりストレーナー８を通して海岸に流す。【選択図】　　　　図１
2004058036.tif 000002
【特許請求の範囲】
【請求項１】
養殖用篭類の表面に付着した付着物を除去するのに高圧水の噴射ノズルを備えた養殖用篭類洗浄機において、洗浄機下部に廃水処理装置上部に上段、下段と両ロール軸の一端が上下歯車で係合し、適当な穴を有する無端のベルトを掛け渡したコンベヤを複数段設置して更に廃水処理装置下部に沈殿槽を設置した付着物除去廃水処理機を設けたことを特徴とする養殖用篭類洗浄機。
【請求項２】
沈殿槽の沈殿物を自動的に回収するコンベヤを設置したことを特徴とする請求項１記載の養殖用篭類洗浄機。
【発明の詳細な説明】
【０００１】
【発明の属する技術分野】本発明は、ホタテ貝等を養殖するときに使用する養殖用篭類、漁業、養殖網の洗浄機に関する。
【０００２】
【従来の技術】従来から、この種類の洗浄機で漁業、養殖網、篭類の付着物除去作業中の廃水と除去された付着物等の塵とに分離するためのネット又は網目状の篭を廃水出口に使用している。又、廃水出口から別な分離機を近接して海水汚染を防止している。
【０００３】
【発明が解決しようとする課題】このような洗浄機では、付着物除去作業中の廃水と除去された付着物等の塵とに分離して水だけを海水に流して海水の汚染を最小限にし、手軽に分離できることが必要である。
【０００４】
【課題を解決するための手段】上記目的を達成するために講じた技術的手段は、請求項１は洗浄機の直下に廃水処理装置上部に上段、下段と両ロール軸の一端が上下歯車で係合し、適当な穴を有する無端のベルトを掛け渡したコンベヤを複数段設置して更に本機下部に沈殿槽を設置した付着物除去廃水処理機を設置したことを要旨とする。請求項２は、沈殿槽の沈殿物を自動的に回収するコンベヤを設置したことを要旨とする。
【０００５】
【作用】上記技術的手段によれば、下記の作用がある。
（請求項１）養殖用篭に付着した甲殻虫類、海草類を除去、洗浄する養殖用篭類洗浄機下部に塵等が廃水と共に流れ落ちる途中で廃水処理機を通過するので塵等がとどまり廃水と極微小の塵が下に流れ落ちる。
（請求項２）作業中沈殿物が沈殿槽よりあふれることなく、自動的に回収するコンベヤで所定の回収容器Ａに移動される。
【０００６】
【実施例】次に、本発明の実施例を図面に基づいて説明する。
図１乃至図２は実施例の養殖用篭類洗浄機廃水処理付きを示している。機枠内部に上下一対のロールからなるロール体が２組、所定の間隔をおいて並設され、機枠の外側には上下一対のロールの略中間位置を通る水平線上に位置されて入口側の受け台と出口側の受け台が各々水平に架設固定されている。又、機枠内部に２組のロール体の略中央位置と出口寄りロール体の外側に位置させて高圧水の噴射ノズル２１がロール体の幅方向に首振り自在に取り付けられている養殖網、篭類の洗浄機の直下に廃水処理機を設置し、減速モーターよりチェーンで上部の下段コンベヤを回転する下段コンベヤロール軸に連結したチェーンホイルに連絡し、下段コンベヤの下段コンベヤロールが回転する。上段下段のコンベヤロール軸の一端に歯車で係合する。下段コンベヤの回転方向と反対方向に下段コンベヤロール軸の回転により上段コンベヤの上段コンベヤロール軸と下段コンベヤロール軸に係合し上段コンベヤロールが逆回転する。圧力水洗浄機の付着物除去作業中の廃水と除去された付着物等の塵が混入した廃水を廃水集合受皿１で中央に集合し本機上段コンベヤの中央に流れ落ち、中の穴を有する上段コンベヤベルト１４で大中の付着物等の塵が移動し塵受板１０を滑り落ち回収容器Ａ１３に塵が集合する。大中以外の付着物等の塵が穴を通して小の穴を有する下段コンベヤに流れ落ちる。上段コンベヤに離れずにいる塵が、上段コンベヤの回転により廃水集合受皿１の廃水出口１６下方で流れ出た水流により下段コンベヤに落下する。小の穴を有する下段コンベヤで大中小の付着物等の塵が移動し塵受板１０を滑り落ち回収容器Ｂ１７に塵が集合する。下段コンベヤに離れずにいる塵が下段コンベヤの回転により廃水集合受皿１の廃水出口１６下方で流れ出た水流によりに沈殿槽６に落下する。大中小以外の付着物等の塵が穴を通して沈殿槽６に流れ落ちる。作業中に本機コンベヤに付着した塵の除去方法は圧力水又は、圧縮空気でもコンベヤに噴射してもよい。沈殿槽６に流れた廃水は、着脱可能な排水仕切板１１を角度を付けて設置し、排水仕切板１１を流れた廃水は沈殿槽６の壁に当たり排水誘導板１２を設けた排水仕切板１１の下方を通り、廃水の流れをスムーズにし更に細かい塵を沈殿させ排水と沈殿物を無理なく分離し、排水のみオーバーフロー７よりストレーナー８を通して海岸に流す。又、沈殿槽６の下部に楽に移動出来る車輪１８を付け、下面角の面取りをし、使用後の手入れ作業を軽減する。
【０００７】
海水に流す廃物の許容の寸法があり、コンベヤ１段の場合最初からコンベヤの穴が小さくなり、廃水中には塵の大中小更に微細なものが混入しているのでコンベヤ穴が詰まり易く一定の水量に対してコンベヤの面積が増大し、よって機械も大型化する以外無かった。複数段の場合上段コンベヤでは廃水の塵の大中のものを回収し下段で許容寸法以外のものを回収するのでコンベヤの穴が詰まりにくく作業も能率的に継続が出来て一定量の処理を小型な機械で付着物除去作業中に同時に作業でき時間が短縮される。また、コンベヤの段数が多ければ多い程良く、コンベヤの穴詰まりを防ぎ理想的である。又養殖篭だけでなく、養殖貝の洗浄にも使用できる。
【０００８】
【発明の効果】本発明は以上のように構成したから下記の利点がある。
（請求項１）養殖用篭にに付着した甲殻虫類、海草類を除去、洗浄する養殖用篭類洗浄機下部に塵等が廃水と共に流れ落ちる途中で廃水処理機を通過するので塵等がとどまり廃水と極微小の塵が下に流れ落ちるので海水の汚染を防ぎ、更に塵等が一カ所に集積するので処理しやすく、作業が軽減され効率的である。
（請求項２）作業中沈殿物が沈殿槽よりあふれることなく、自動的に回収するコンベヤで所定の回収容器Ａに移動されるので効率が良く、安全である。
【図面の簡単な説明】
【図１】本発明の実施例の養殖用篭類洗浄機を示す。
【図２】本発明の実施例の養殖用篭類洗浄機を示す。
【符号の説明】
１：　廃水集合受皿
２：　駆動用スプロケット
３：　コンベヤホイル
４：　歯車
５：　エアーノズル噴射方向
６：　沈殿槽
７：　オーバーフロー
８：　ストレーナー
９：　沈殿物自動回収コンベヤ
１０：　塵受板
１１：　排水仕切板
１２：　排水誘導板
１３：　回収容器Ａ
１４：　上段コンベヤベルト
１５：　下段コンベヤベルト
１６：　廃水出口
１７：　回収容器Ｂ
１８：　車輪
１９：　駆動用チェーン
２０：　養殖篭
２１：　高圧水噴射ノズル
【図１】
2004058036.tif 000003
【図２】
2004058036.tif 000004